(57)【特許請求の範囲】
【請求項１】
ルーフ上に太陽電池設置モジュールを取り付けるためのルーフフック（１）であって、
−  Ｘ方向およびＹ方向に延在し、前記ルーフ上に前記ルーフフック（１）を固定するための、第１固定部分（２）と、
−  前記太陽電池設置モジュールを固定するための、あるいは、前記太陽電池設置モジュール用の固定形状部材を固定するための、フック形状のマウント（４）と、
−  前記第１固定部分（２）に対して垂直に延在するとともに前記第１固定部分（２）からＺ方向に延在する、第２固定部分（３）と、
を具備し、
前記マウント（４）が、前記Ｚ方向において前記第２固定部分（３）上において調節可能とされ、
前記第２固定部分（３）上に前記マウント（４）を固定するための固定部分（５）が設けられ、
この固定部分（５）が、前記Ｚ方向において斜めに作用し、
前記第２固定部分（３）が、その固定表面（７）において、前記マウント（４）に対向しており、
前記固定表面（７）に対して平行に延在する移行脚（８）が、その固定表面（９）において、前記第２固定部分（３）に対して対向し、
前記第２固定部分（３）が、係合部材（１９）を備え、
前記係合部材が、前記Ｘ方向において少なくとも部分的に延在している、あるいは、前記固定表面（７，９）の一端から他端までにわたって連続的に延在しており、
前記第２固定部分（３）のうちの、前記固定表面（７）とは反対側に係止表面（１１）が設けられ、
前記移行脚（８）のうちの、前記固定表面（９）とは反対側に係止表面（１２）が設けられ、
それら係止表面が、前記Ｚ方向に対して斜めに配置されていることを特徴とするルーフフック。
【請求項２】
請求項１記載のルーフフックにおいて、
前記第２固定部分（３）が、前記Ｘ方向に延在するスロット（２４）を備え、
このスロット（２４）が、前記固定部分（５）において、連結部材（６）によって貫通され得るものとされ、これにより、前記マウント（４）を、水平方向において調節可能としていることを特徴とするルーフフック。
【請求項３】
請求項１記載のルーフフックにおいて、
前記係止表面（１１）が、少なくとも１つの補強リブを備えていることを特徴とするルーフフック。
【請求項４】
請求項２記載のルーフフックにおいて、
前記固定部分（５）の前記連結部材（６）の、前記Ｚ方向に対して斜めに作用する長手方向中央軸線が、前記固定表面（７，９）によって開口した空間内において、前記第１固定部分（２）に対して、角度（α）でもって延在しており、
前記角度（α）が、０＜α＜６０°とされていることを特徴とするルーフフック。
【請求項５】
請求項４記載のルーフフックにおいて、
前記角度（α）が、１０＜α＜４０°とされていることを特徴とするルーフフック。
【請求項６】
請求項５記載のルーフフックにおいて、
前記角度（α）が、１５＜α＜２０°とされていることを特徴とするルーフフック。
【請求項７】
請求項１記載のルーフフックにおいて、
前記マウント（４）が、前記移行脚（８）とは反対側の端部に、取付脚（１３）を備え、
この取付脚（１３）が、調節のために使用されるスロットを有し、
このスロットが、前記Ｚ方向に延在しているとともに、前記太陽電池設置モジュールを固定するためのものとされ、あるいは、前記太陽電池設置モジュール用の固定形状部材を固定するためのものとされていることを特徴とするルーフフック。
【請求項８】
請求項４〜６のいずれか１項に記載のルーフフックにおいて、
前記取付脚（１３）の固定表面（１４）が、前記太陽電池設置モジュールに対して対向し、あるいは、前記太陽電池設置モジュール用の固定形状部材に対して対向し、
前記固定表面（１４）が、係合部材（１０）を有し、
前記係合部材が、前記Ｘ方向において少なくとも部分的に延在している、あるいは、前記固定表面（１４）の一端から他端までにわたって連続的に延在している、ことを特徴とするルーフフック。
【発明の詳細な説明】
【技術分野】
【０００１】
本発明は、ルーフ上に太陽電池設置モジュールを取り付けるためのルーフフックに関するものであり、ルーフ上にルーフフックを固定するためにＸ方向およびＹ方向に延在する第１固定部分と、第１固定部分に対して実質的に垂直に第１固定部分からＺ方向に延在する第２固定部分と、太陽電池設置モジュールをあるいは太陽電池設置モジュール用の固定形状部材を固定するためのフック形状マウントと、を具備している。
【背景技術】
【０００２】
公知のルーフフックは、固定部分に、固定ネジを受領するための複数の穴を有している。特許文献１は、分割体として形成されたルーフフックを示しており、特許文献２は、安全なルーフフックを示している。固定ネジにより、ルーフフックは、ルーフ上に固定される、特に、パンタイルの下方に位置したルーフパネルに対して固定される。フック形状のホルダ部分は、ルーフトップ上においてパンタイルの下方において突出する。太陽電池設置モジュールは、固定ネジを使用して、ホルダ部分に対して、直接的にあるいは固定形状部材を介して間接的に、固定される。公知のルーフフックは、通常は、２つのセグメントを、すなわち固定部分とホルダ部分とを、互いに溶接することによって、一体的に形成される。
【先行技術文献】
【特許文献】
【０００３】
【特許文献１】ＤＥ ２０ ２００８ ０１６ ０００ Ｕ１
【特許文献２】ＥＰ ０８８１３３９ Ａ１
【発明の概要】
【発明が解決しようとする課題】
【０００４】
公知のルーフフックの欠点は、固定部材に対してのアクセス性が悪いことのために、および、様々なパンタイル上におけるおよび／または様々な太陽電池設置モジュール上におけるおよび／または太陽電池設置モジュール用の固定形状部材上におけるルーフフックの調節可能性が欠如していることのためにあるいは不十分であることのために、取付性能にある。
【課題を解決するための手段】
【０００５】
本発明の目的は、固定部材に対してのアクセスが容易であるような、および、取付を早くかつ容易に行い得るような、改良されたルーフフックを提供することである。
【０００６】
上記目的は、請求項１における各特徴点によって得られる。
【０００７】
本発明における有利な様々な構成は、従属請求項に記載されている。
【０００８】
本発明によれば、少なくとも２つの構成部材からモジュール的に製造されるルーフフックが提供される。それぞれの構成部材上に一体的に形成された固定表面どうしは、圧力嵌めによって連結され、とりわけ、マウントに対して連結部材によって連結される。公知の調節可能なルーフフックとは異なり、本発明によるルーフフックは、個々に容易にアクセス可能とされた連結部材を介して調節可能であり、パンタイルに対して適切に適合することができる。これにより、ルーフ上に太陽電池設置モジュールを極めて容易に取り付けることができる。よって、本発明によれば、一様な第１構成部材を備えた可変的なタイプのルーフ取付システムを具現することができる。
【０００９】
１つの重要な利点は、本発明によるルーフフックが、ルーフ表面に対してあるいは第１固定部分に対して実質的に垂直に調節可能であることである。これにより、斜め調節可能である場合のように、パンタイル上においてルーフフックに隣接する位置が、影響を受けることがない。
【００１０】
本発明の他の重要な利点は、鉛直方向においてルーフ表面に対してのマウントの位置を調節可能とすることを意図した固定部分が、ルーフ表面に対して平行ではないことである。したがって、調節方向に対して垂直ではないことである。そのような固定部分は、マウントの方向に対して、斜めに傾斜している。よって、固定部分に対して容易にアクセスすることができる。このことは、取付を極めて容易なものとする。
【００１１】
本発明によるルーフフックは、Ｘ方向およびＹ方向に延在し特にネジといったような連結部材のための穴を有しルーフ上にルーフフックを固定するための第１固定部分を具備している。ルーフフックは、さらに、第１固定部分に対して垂直に延在するとともに第１固定部分からＺ方向に延在する第２固定部分と、この第２固定部分に対して固定されるとともに、太陽電池設置モジュールを固定するための、あるいは、太陽電池設置モジュール用の固定形状部材を固定するための、フック形状のマウントと、を具備し、マウントが、Ｚ方向において第２固定部分上において調節可能とされ、第２固定部分上にマウントを固定するための固定部分が設けられ、この固定部分が、Ｚ方向において斜めに作用する。
【００１２】
本発明の一実施形態においては、太陽電池設置モジュールのためのマウントが、第２固定部分に対してほぼ平行に配置された移行脚を備えていることが有利である。移行脚は、Ｕ字形状のフック部分に対して連結される。このフック部分は、第１固定部分がなす平面に対して平行に延在する支持脚と、Ｚ方向に延在して支持脚に対して連結された底部脚と、から構成される。底部脚は、移行脚と平行に延在している。底部脚は、第１固定部分がなす平面に対して平行に延在する固定脚において終端している。
【００１３】
パンタイルは、Ｕ字形フック部分内に収容され、固定脚上に固定される。固定脚は、Ｚ方向に延在する取付脚において終端している。取付脚は、太陽電池設置モジュールを取り付けることを意図したものである、あるいは、太陽電池設置モジュール用の固定形状部材を取り付けることを意図したものである。
【００１４】
有利には、取付脚には、調節のために使用することを意図したスロットが設けられる。スロットは、太陽電池設置モジュールを固定するためのあるいは固定形状部材を固定するための固定ネジを受領することができる。固定ネジは、スロット内においてその位置を調節することができる。スロットを穴として構成することにより、許容誤差を容易に均衡化することができる。スロットとして取付穴を設けることに代えて、丸穴を設けることができる。
【００１５】
本発明の他の有利な構成においては、取付脚が、その固定表面において、太陽電池設置モジュールに対してあるいは太陽電池設置モジュール用の固定形状部材に対して対向し、その固定表面が、特にリブといったような係合部材を有し、係合部材が、Ｘ方向において少なくとも部分的に延在している、あるいは、固定表面の一端から他端までにわたって連続的に延在している。係合部材は、太陽電池設置モジュール上のあるいは太陽電池設置モジュール用の固定形状部材上の対応する係合部材に対して係合することができ、これにより、固定を行うことができる。
【００１６】
本発明の一実施形態においては、第２固定部分が、その固定表面において、マウントに対向しており、固定表面に対して平行に延在する移行脚が、その固定表面において、第２固定部分に対して対向し、第２固定部分が、特にリブといったような係合部材を備え、係合部材が、Ｘ方向において少なくとも部分的に延在している、あるいは、固定表面の一端から他端までにわたって連続的に延在している。これにより、固定部分による摩擦ロックおよび干渉結合を介しての第２固定部分上におけるマウントの固定を、行うことができる。
【００１７】
本発明の１つの実施可能な態様においては、第２固定部分が、Ｘ方向に延在するスロットを備え、このスロットが、固定部分において、特にネジといったような連結部材によって貫通され得るものとされ、これにより、マウントを、水平方向において調節可能としている。
【００１８】
マウントの鉛直方向の調節可能性が、すなわち、Ｚ方向において第２固定部分に対して平行な方向の調節可能性が、移行脚の係止表面内のスロットによって、得られる。移行脚のうちの、固定表面とは反対側の係止表面と、第２固定部分のうちの、固定表面とは反対側の係止表面とは、Ｚ方向に対して斜めに配置されている。よって、第２固定部分上にマウントを固定するための固定部分あるいは連結部材は、第１固定部分に対して平行ではなく、したがってＹ方向に延在するわけではなく、Ｚ方向に対して角度αで傾斜している。
【００１９】
固定部分の連結部材の、Ｙ方向およびＺ方向に対して斜めに作用する長手方向中央軸線は、第１固定表面および第２固定表面によって開口した空間内において、第１固定部分に対して、角度（α）でもって延在し、角度（α）が、０＜α＜６０°とされ、とりわけ１０＜α＜４０°とされ、好ましくは１５＜α＜２０°とされる。よって、連結部材に対して、容易にアクセスすることができ、これにより、ルーフフックの取付を極めて容易なものとすることができる。
【００２０】
したがって、本発明によるルーフフックは、一方においては、Ｚ方向に対して調節可能であって、これにより、パンタイルに対しての許容誤差を均衡化することができ、また、様々なタイプのパンタイルに対して使用することができ、他方においては、Ｙ方向において垂直に設けられた従来的な固定部分が設けられることがなく、固定部分は、マウントの方向において傾斜しており、これにより、はるかに容易にアクセスすることができる。
【００２１】
ルーフフックは、有利には、ダイキャスト法によって製造される。この方法は、特に従来的な押し出し法と比較して、ずっと大きな安定性を可能とし得るとともに、熱処理に起因する負傷リスクを軽減することができる。
【００２２】
マウントを、アルミニウムキャスティングによって一体部材として形成することにより、移行脚と支持脚との間の、支持脚と底部脚との間の、底部脚と固定脚との間の、および、固定脚と取付脚との間の、曲がり移行領域を形成することができる。
【００２３】
特に、負荷耐性を有したルーフフックが、少なくとも１つの補強リブを設けることによって、得られる。とりわけ、補強リブは、移行脚の領域に配置され、第２固定部分がなす平面を超えてＹ方向に延在する。特に、補強リブは、移行脚の係止表面のエッジ領域に配置される。
【００２４】
本発明の一実施形態においては、少なくとも１つの補強リブが設けられ、好ましくは２つの補強リブが設けられ、補強リブは、移行脚の係止表面のエッジ領域の少なくとも一部上に延在している。これにより、第２固定部分と移行脚と支持脚との間の各移行領域が補強される。ルーフフックの安定的な構成の結果として、ルーフタイルが取り外され、ルーフタイルの破損が回避される。これにより、負荷の印加時に発生しかねないＺ方向における弛みの発生を防止することができる。
【００２５】
移行脚の係止表面のエッジ領域に沿って延在する補強リブの高さおよび／または幅を第１固定部分の方向においてすなわちＺ方向において増大させるという点において、第２固定部分からマウントへの移行領域を、さらに安定化することができる。
【００２６】
ルーフフックの安定性をさらに増大させ得るよう、１つのとりわけ２つの補強リブを、第１固定部分に設けることができる。そのような補強リブは、ＸＹ平面に沿ってＺ方向に延在しており、移行脚の方向において延在している。
【００２７】
本発明につき、添付図面を参照しつつ、例示としての実施形態に関して詳細に説明する。
【図面の簡単な説明】
【００２８】
【図１】本発明によるルーフフックを示す斜視図である。
【図２】図１のルーフフックを示す斜視図である。
【発明を実施するための形態】
【００２９】
添付図面においては、同じ構成部材や同じ作用を有した構成部材には、同一の参照符号が付されている。
【００３０】
図１および図２は、ルーフフック１を示している。ルーフフック１の同一の構成部材の位置の説明を簡略化するために、互いに直交して延在するＸ軸、Ｙ軸、Ｚ軸を有したデカルト座標系が、使用される。
【００３１】
本発明によるルーフフック１は、第１固定部分２を具備している。第１固定部分２は、平面視において矩形であり、Ｘ方向およびＹ方向に延在している。第１固定部分２には、互いに平行な２つの列をなす複数の取付穴１７が設けられている。これら取付穴１７がなす各列は、Ｘ方向に延在している。それら取付穴を使用することにより、第１固定部分２を備えたルーフフック１をルーフ上に固定するための図示していない固定ネジを受領することができる。
【００３２】
第１固定部分２に加えて、ルーフフック１は、第２固定部分３を具備している。第２固定部分３は、平面視において矩形である。第２固定部分３は、Ｚ方向において、第１固定部分２に対して実質的に垂直に延在している。第２固定部分３は、固定表面７を有している。固定表面７上には、対応する固定表面９を有したマウント４を固定することができる。さらに、第２固定部分３は、スロット２４を有している。このスロット２４は、Ｘ方向に延在してものであって、連結部材６を貫通させ得るものであり、これにより、マウント４を水平方向において調節可能とすることができる。
【００３３】
さらに、この例示としての一実施形態においては、固定表面７は、リブ１９として形成された係合部材を有している。リブ１９は、固定表面７の一端から他端までにわたって連続的にＸ方向に延在しており、マウント４の１つの移行脚８の固定表面９の対応するリブと係合することができる。
【００３４】
マウント４は、移行脚８と、支持脚１８と、底部脚２０と、固定脚２１と、取付脚１３と、から形成されている。移行脚８は、Ｙ方向に延在する支持脚１８において終端している。支持脚１８は、Ｚ方向に延在する底部脚２０において終端しており、底部脚２０は、大部分が支持脚１８と平行に配置されていて支持脚１８とは反対向きでもってＹ方向に実質的に延在する固定脚２１において終端している。固定脚２１は、取付脚１３のところにまで延在している。取付脚１３は、Ｚ方向に延在しているとともに、有利には、スロット２２を有している。スロット２２は、Ｚ方向に延在しており、太陽電池設置モジュールを固定するためのものである、あるいは、太陽電池設置モジュール用の固定形状部材を固定するためのものである。
【００３５】
例示としての一実施形態においては、取付脚１３は、太陽電池設置モジュールに対向するあるいは太陽電池設置モジュール用の固定形状部材に対して対向する固定表面１４上に、Ｘ方向において固定表面１４の一端から他端までにわたって連続的に延在するリブ１０を有している。リブ１０は、太陽電池設置モジュールの対応部分に対して、あるいは、太陽電池設置モジュール用の固定形状部材の対応部分に対して、係合し得るよう構成されている。
【００３６】
例示としての一実施形態においては、底部脚２０と支持脚１８との間の角度βは、およそ９５°とされている。
【００３７】
第２固定部分３の固定表面７に対してのマウント４の固定は、図１および図２に示すように、連結ロッド６によって行われる。連結ロッド６は、連結ネジとして形成されており、移行脚８のうちの、固定表面９とは反対側の係止表面１２から、移行脚８のうちの、Ｚ方向に延在するスロット２５を通して、さらに、第２固定部分３のうちの、Ｘ方向に延在するスロット２４を通して、延在している。連結ロッド６は、第２固定部分３のうちの、固定表面７とは反対側の係止表面１１上に固定することができる。Ｚ方向において斜めに作用する固定部分５においては、第１固定部分２および第２固定部分３によって開口したネジ止め空間２６内において、連結ネジ６（連結部材６）は、第１固定部分２に対して、角度α＝２０°でもって延在している。
【００３８】
ルーフフック１の安定性を増大させるために、図１および図２における例示としての一実施形態においては、補強リブ１５が、移行脚１８の係止表面１２のサイドエッジ上に設けられている。補強リブ１５は、Ｚ方向においては、第１固定部分２の方向において移行脚８に沿って延在しており、Ｙ方向においては、固定表面７がなす平面から延在している。よって、係止表面１２は、側方に位置した補強リブ１５どうしの間において傾斜面を形成している。係止表面１２は、固定表面９に対して、角度γだけ傾斜している。この角度γは、好ましくは、角度αに対応している。係止表面１１は、固定表面７に対して角度δだけ傾斜している。この角度δは、好ましくは、角度αおよび／または角度γに対応している。
【００３９】
ルーフフック１の安定性をさらに増大させるために、第１固定部分２上には、Ｘ方向およびＹ方向に対して傾斜して延在する２つの補強リブ１６が設けられている。これら補強リブ１６は、ネジ止め空間２６内に延在している。Ｚ方向における補強リブ１６の延在高さは、移行脚へと向かうにつれて増大している。言い換えれば、補強リブ１６は、スロット２４のところにまでＺ方向に延在していて、第２固定部分３に対して適合している。これにより、ルーフフック１に対して作用する負荷を、第１固定部分２の表面上にわたって、一様に分散させることができる。
【００４０】
添付図面により明らかなように、矩形の第１固定部分２の底部のコーナーエッジを除いて、ルーフフック１のすべてのエッジは、丸められている。これにより、負傷のリスクを低減し得るとともに、対応する光学系を得ることができる。
【符号の説明】
【００４１】
１  ルーフフック
２  第１固定部分
３  第２固定部分
４  マウント
５  固定部分
６  連結部材
７  固定表面
８  移行脚
９  固定表面
１０  係合部材、リブ
１１  係止表面
１２  係止表面
１３  取付脚
１４  固定表面
１９  係合部材、リブ
２４  スロット
【図１】
0005968887.tif 000002
【図２】
0005968887.tif 000003